(57)【要約】      （修正有）【課題】開封時に食品用包装袋が食品に接触することが抑制され、容易に開封できる食品用包装袋を提供する。【解決手段】第１面部１０と第２面部２０との間に食品収容部３２が形成される食品用包装袋１であって、前記第１面部には、第１方向の一方側の端部から前記第１方向に沿って線状に第１易開封部１１が形成され、前記第２面部には、前記第１易開封部と対向する位置に、前記第１方向の前記一方側の端部から前記第１方向に沿って線状に第２易開封部２１が形成され、前記第１易開封部と、前記第２易開封部と、は少なくとも前記第１方向の前記一方側の端部で接続し、易開封部を形成している食品用包装袋１。【選択図】図１
0003184938.tif 000002
【実用新案登録請求の範囲】
【請求項１】
第１面部と第２面部との間に食品収容部が形成される食品用包装袋であって、
前記第１面部には、第１方向の一方側の端部から前記第１方向に沿って線状に第１易開封部が形成され、
前記第２面部には、前記第１易開封部と対向する位置に、前記第１方向の前記一方側の端部から前記第１方向に沿って線状に第２易開封部が形成され、
前記第１易開封部と、前記第２易開封部と、は少なくとも前記第１方向の前記一方側の端部で接続し、易開封部を形成している食品用包装袋。
【請求項２】
前記第１易開封部は、前記第１方向の他方側の端部まで形成され、
前記第２易開封部は、前記第１方向の他方側の端部まで形成され、
前記第１易開封部と、前記第２易開封部と、は前記第１方向の前記他方側の端部で接続している、請求項１に記載の食品用包装袋。
【請求項３】
前記易開封部は、ミシン目を有する請求項１または２に記載の食品用包装袋。
【請求項４】
前記ミシン目は、平面視ハ字状に形成される、請求項３に記載の食品用包装袋。
【請求項５】
前記第１面部と前記第２面部とのうち少なくとも一方には、前記易開封部の位置指標となる指標マークが形成される請求項１から４のいずれか１項に記載の食品用包装袋。
【請求項６】
前記指標マークは、前記第１方向の前記一方側の端部と、前記第１方向の前記他方側の端部と、のうち少なくとも一方に形成される、請求項５に記載の食品用包装袋。
【請求項７】
前記指標マークは、前記易開封部を挟んだ両側にそれぞれ形成される、請求項５または６に記載の食品用包装袋。
【請求項８】
前記指標マークは、前記易開封部を含む領域に線状に形成される、請求項５から７のいずれか１項に記載の食品用包装袋。
【請求項９】
前記第１方向の両端部のうち少なくとも前記一方側の端部には、前記第１方向と直交する第２方向に沿って、前記第１面部と前記第２面部とがシールされたシール部が設けられている、請求項１から８のいずれか１項に記載の食品用包装袋。
【考案の詳細な説明】
【技術分野】
【０００１】
本考案は、食品用包装袋に関するものである。
【背景技術】
【０００２】
ピロー包装袋等において、使用時に包装袋の開封がし易くするための手段として、たとえば、シール部にノッチを設ける技術が知られている（たとえば、特許文献１参照）。
【先行技術文献】
【特許文献】
【０００３】
【特許文献１】特開２００４−１８２２６７号公報
【考案の概要】
【考案が解決しようとする課題】
【０００４】
しかしながら、上述したような従来技術には、以下のような問題が存在する。
ノッチが設けられた包装袋を開封する場合、ノッチを挟んだ両側を摘み、包装袋の面に略垂直な方向で、かつ、互いに離間する向きに引張する。そのため、開封される過程で包装袋が内容物に接触し、包装袋を開封しにくい場合がある。
【０００５】
本考案は、上記従来技術の問題点に鑑みて成されたものであって、開封時に食品用包装袋が食品に接触することが抑制され、容易に開封できる食品用包装袋を提供することを目的とする。
【課題を解決するための手段】
【０００６】
本考案の食品用包装袋は、第１面部と第２面部との間に食品収容部が形成される食品用包装袋であって、前記第１面部には、第１方向の一方側の端部から前記第１方向に沿って線状に第１易開封部が形成され、前記第２面部には、前記第１易開封部と対向する位置に、前記第１方向の前記一方側の端部から前記第１方向に沿って線状に第２易開封部が形成され、前記第１易開封部と、前記第２易開封部と、は少なくとも前記第１方向の前記一方側の端部で接続し、易開封部を形成している。
【０００７】
この構成によれば、第１方向に沿って線状に形成された第１易開封部と第２易開封部とが少なくとも第１方向の一方側で接続し、易開封部を形成している。そのため、一方側の端部における易開封部を挟んだ両側を摘み、第１面部および第２面部と略平行な方向で、かつ、摘んだ両側が互いに離間する向きにそれぞれ引張することにより易開封部は開封される。そして、易開封部の開封にともなって、食品用包装袋は易開封部を挟んだ両側にそれぞれ分離される。このとき、食品用包装袋を引張する方向は、第１面部および第２面部と略平行な方向であるため、分割される食品用包装袋が、第１面部と第２面部との間に形成された食品収容部と干渉しにくい。したがって、開封時に、食品用包装袋が食品収容部に収容された食品と接触することを抑制できる。その結果、容易に開封できる食品用包装袋が得られる。
【０００８】
前記第１易開封部は、前記第１方向の他方側の端部まで形成され、前記第２易開封部は、前記第１方向の他方側の端部まで形成され、前記第１易開封部と、前記第２易開封部と、は前記第１方向の前記他方側の端部で接続していてもよい。
この構成によれば、第１易開封部および第２易開封部は、第１方向の他方側の端部まで形成され、第１方向の他方側の端部で互いに接続している。これにより、易開封部を開封することで、食品用包装袋を、易開封部を挟んだ両側に容易に分離できる。
【０００９】
前記易開封部は、ミシン目を有してもよい。
また、前記ミシン目は、平面視ハ字状に形成されてもよい。
この構成によれば、たとえば、ピロー包装袋として本考案に係る包装袋の製造時に易開封部が開封してしまうことを抑制できる。
【００１０】
前記第１面部と前記第２面部とのうち少なくとも一方には、前記易開封部の位置指標となる指標マークが形成されてもよい。
また、前記指標マークは、前記第１方向の前記一方側の端部と、前記第１方向の前記他方側の端部と、のうち少なくとも一方に形成されてもよい。
この構成によれば、易開封部の位置を容易に視認することが可能となる。指標マークとしては、前記易開封部を挟んだ両側にそれぞれ形成される構成や、前記易開封部を含む領域に線状に形成される構成を好適に採用できる。
【００１１】
前記第１方向の両端部のうち少なくとも前記一方側の端部には、前記第１方向と直交する第２方向に沿って、前記第１面部と前記第２面部とがシールされたシール部が設けられていてもよい。
この構成によれば、シール部を摘んで引張することにより、易開封部を開封しやすい。
【考案の効果】
【００１２】
本考案によれば、開封時に包装袋が食品に接触することが抑制され、食品用包装袋を容易に開封できる。また、開封され、分離された食品用包装袋のうち一方に、食品を収容することで、食品に直接手を触れずに食品を食べることができる。
【図面の簡単な説明】
【００１３】
【図１】本実施形態の食品用包装袋を示す図であって、（ａ）は、平面図、（ｂ）は、（ａ）におけるＡ−Ａ断面図である。
【図２】本実施形態の食品用包装袋における易開封部の開封方法を示す図である。
【図３】本実施形態の食品用包装袋を開封し、食品を露出させた図である。
【図４】ノッチが設けられた従来の食品用包装袋の開封方法を示す図である。
【考案を実施するための形態】
【００１４】
以下、図面を参照しながら、本考案の実施形態に係る食品用包装袋について説明する。
なお、本考案の範囲は、以下の実施の形態に限定されるものではなく、本考案の技術的思想の範囲内で任意に変更可能である。また、以下の図面においては、各構成をわかりやすくするために、実際の構造と各構造における縮尺や数等を異ならせる場合がある。
【００１５】
図１（ａ）は、本実施形態の包装袋（食品用包装袋）１を示す平面図、図１（ｂ）は、図１（ａ）におけるＡ−Ａ断面図である。
包装袋１は、図１（ａ），（ｂ）に示すように、基材層と熱接着性樹脂層とが積層されたフィルム状の矩形状積層体を、高さ方向（第１方向，図１（ａ）の上下方向）に開口する筒状とし、高さ方向の両端部（開口部）をシール部３０によってシールした平面視矩形状の袋体である。
【００１６】
矩形状積層体を筒状にする方法は、特に限定されず、たとえば、矩形状積層体の対向する端縁を熱接着性樹脂層が当接するように重ね合わせて熱接着し、背張り部（図示せず）を形成する方法が採用できる。
【００１７】
矩形状積層体には、あらかじめ高さ方向に沿って線状に表面易開封部（第１易開封部）１１と裏面易開封部（第２易開封部）２１とが形成されている。表面易開封部１１および裏面易開封部２１は、それぞれ高さ方向の上方側（一方側）の端部から下方側（他方側）の端部まで形成されている。
包装袋１は、包装袋１の表面部（第１面部）１０上に表面易開封部１１が形成され、包装袋１の表面部１０と逆側の裏面部（第２面部）２０上で、かつ、表面易開封部１１と対向する位置に裏面易開封部２１が形成されるようにして、製造されている。
【００１８】
表面易開封部１１と裏面易開封部２１とは、シール部３０によって表面部１０と裏面部２０とがシールされることで、高さ方向の両端部において互いに接続されている。これにより、包装袋１の周囲を高さ方向に一周するようにして、表面易開封部１１と裏面易開封部２１とからなる易開封部５０が形成されている。
【００１９】
シール部３０は、表面部１０と裏面部２０とを熱接着することで形成されている。シール部３０は、高さ方向と直交する幅方向（第２方向，図１（ａ）の左右方向）に延在するように、かつ、表面易開封部１１と裏面易開封部２１との高さ方向の両端部を含むようにそれぞれ形成されている。
【００２０】
包装袋１は、矩形状積層体を折り曲げて筒状にすることにより形成された対向する２辺（図１（ａ）における左辺および右辺）、およびシール部３０でシールされた対向する２辺（図１（ａ）における上辺および下辺）が閉塞され、表面部１０と裏面部２０との間に食品Ｆを収容するための収容部（食品収容部）３２を備えている（図１（ｂ）参照）。
【００２１】
収容部３２に収容される食品Ｆは、特に限定されない。本実施形態においては、食品Ｆがドーナツである場合について例示している。
【００２２】
表面部１０に形成された表面易開封部１１および裏面部２０に形成された裏面易開封部２１としては、たとえば、ミシン目が形成されている。
ミシン目としては種々の形態が採用可能であるが、本実施形態では、図１（ａ）に示すように、平面視ハ字状のミシン目が形成されている。つまり、表面易開封部１１および裏面易開封部２１は、ハ字状の切れ目が所定間隔をあけて複数配列されることによって形成されている。また、各切れ目は、ミシン目の延在方向（高さ方向）と直交する方向（幅方向）に間隔をあけて配置され、当該間隔はミシン目の延在方向で幅が変化するように形成されている。
【００２３】
また、表面易開封部１１の高さ方向の上方側端部には、表面易開封部１１を挟んだ両側に指標マーク３１がそれぞれ形成されている。指標マーク３１は、易開封部５０の位置指標、より詳細には、易開封部５０を開封する際に包装袋１を摘む位置の指標となるものであって、表面易開封部１１からほぼ等距離に印刷により形成されている。指標マーク３１の形状は、特に限定されず、円形状であっても、その他の形状（たとえば、星形状）であってもよい。本実施形態においては、指標マーク３１の形状が星形状である場合について例示している（図１（ａ）参照）。
【００２４】
次に、上記構成の包装袋１の使用方法について説明する。
図２は、包装袋１の開封方法を示す図であり、図３は、包装袋１が開封された状態を示す図である。
まず、図２に示すように、表面部１０に形成された指標マーク３１を参照して、包装袋１における易開封部５０を挟んだ両側を摘み、表面部１０および裏面部２０と略平行な方向（幅方向）で、かつ、摘んだ両側が互いに離間する向きに引張する。これにより、易開封部５０は、指標マーク３１が形成されている高さ方向の上方側端部から、高さ方向の下方側端部に向かって開封されていく。このとき、表面易開封部１１と裏面易開封部２１とは、高さ方向の上方側端部で接続されているため、表面易開封部１１および裏面易開封部２１は、易開封部５０の開封に伴って、高さ方向の上方側端部から高さ方向の下方側端部に向かって開封されていく。
【００２５】
易開封部５０が完全に開封されることにより、包装袋１は、易開封部５０を挟んで、幅方向の両側（図２における左右両側）にそれぞれ分離される。これにより、開口部を有する袋体が２つ形成される。各袋体の袋部は、収容部３２が分離されることで形成される。
【００２６】
そして、図３に示すように、一方の袋体１ａに食品Ｆを残し、他方の袋体を除去することにより、食品Ｆの一部を袋体１ａの収容部３２ａに収容しつつ、食品Ｆの一部を露出させることができる。
【００２７】
以上に詳細に説明した本実施形態の包装袋１によれば、開封する際に、包装袋１が収容部３２に収容された食品Ｆに接触することを抑制できるため、開封が容易である。以下、図を用いて詳細に説明する。
【００２８】
図４（ａ）は、ノッチ部が設けられた従来の包装袋４０を示す図であり、図４（ｂ）は包装袋４０の開封方法を示す図である。
包装袋４０は、図４（ａ）に示すように、高さ方向の上方側端部にノッチ部４１が形成されている。
【００２９】
包装袋４０の開封方法は、図４（ｂ）に示すように、ノッチ部４１を挟んだ両側を摘み、表面部４２および裏面部４３に略垂直な方向（図４（ａ），（ｂ）における、紙面に略垂直な方向）で、かつ、摘んだ両側が互いに離間する向きに引張する。これにより、ノッチ部４１から高さ方向の下方側に向かって、表面部４２と裏面部４３とが裂けていく。
【００３０】
表面部４２および裏面部４３が、食品Ｆが収容されている位置まで裂かれると、図４（ｂ）に示すように、表面部４２側の向きに引張した側（図４（ｂ）の右側）では、裏面部４３の内側が食品Ｆに接触し、裏面部４３側の向きに引張した側（図４（ｂ）の左側）では、表面部４２の内側が食品Ｆに接触する。そのため、開封が食品Ｆにより阻害され、包装袋４０を開封しにくい。
【００３１】
これに対して、本実施形態の包装袋１によれば、表面部１０と裏面部２０とに、それぞれ表面易開封部１１と裏面易開封部２１とが形成され、表面易開封部１１と裏面易開封部２１とが接続することにより、易開封部５０が形成されている。そのため、高さ方向の端部における、易開封部５０を挟んだ両側を摘み、表面部１０および裏面部２０と略平行な方向（幅方向）で、かつ、摘んだ両側が互いに離間する向きに引張することにより、包装袋１を開封できる。したがって、開封する際に、分離される包装袋１が、表面部１０と裏面部２０とに挟まれて形成された収容部３２に干渉しにくく、包装袋１が、収容部３２に収容された食品Ｆと接触することを抑制できる。その結果、容易に開封できる包装袋が得られる。
【００３２】
また、本実施形態では、表面易開封部１１および裏面易開封部２１が、高さ方向の上方側端部から下方側端部まで形成され、互いに両端部において接続されているため、包装袋１の周囲を高さ方向に一周する易開封部５０が形成されている。これにより、易開封部５０を開封することで、包装袋１を２つの袋体に容易に分離できる。
【００３３】
また、包装袋１を開封した後に、一方の袋体１ａに食品Ｆを残し、言いかえると、一方の袋体１ａの収容部３２ａに食品Ｆの一部を収容し、袋体１ａを把持することで、食品Ｆに直接手を触れることなく食品Ｆを食べることができる（図３参照）。
【００３４】
また、本実施形態では、表面易開封部１１および裏面易開封部２１を形成するミシン目をハ字状としているため、人手による易開封性を維持しつつ、たとえば、ピロー包装袋として連続的に製造する際の張力でミシン目が開封してしまうことを抑制することができる。
【００３５】
また、本実施形態では、表面部１０に易開封部５０を開封する際の指標となる指標マーク３１が形成されているため、包装袋１が透明材で形成されていて易開封部５０が視認しづらいような場合でも、開封に適した摘む位置を容易に把握することが可能になる。
【００３６】
なお、本実施形態においては、下記の構成を採用することもできる。
【００３７】
指標マーク３１は、表面部１０における高さ方向の両側の端部に形成されていてもよい。
また、指標マーク３１は、表面部１０と裏面部２０との両方に形成されていてもよい。
また、指標マーク３１は、形成されていなくてもよい。
【００３８】
また、本実施形態では、表面部１０における摘む位置に指標マーク３１を設ける構成としたが、これに限定されるものではなく、たとえば、表面易開封部１１および裏面易開封部２１を含むそれぞれの領域に線状のマークを印刷する構成等であってもよい。
【００３９】
また、本実施形態では、包装袋として上下２方向にシール部が設けられた袋体を示したが、これに限られない。たとえば、包装袋は、三方シール袋（横取り，縦取り）、合掌袋、ガゼット合掌袋、スタンディング袋等であってもよい。
【符号の説明】
【００４０】
１…包装袋（食品用包装袋）、１０…表面部（第１面部）、１１…表面易開封部（第１易開封部）、２０…裏面部（第２面部）、２１…裏面易開封部（第２易開封部）、３０…シール部、３１…指標マーク、３２…収容部（食品収容部）、５０…易開封部（ミシン目）
【図１】
0003184938.tif 000003
【図２】
0003184938.tif 000004
【図３】
0003184938.tif 000005
【図４】
0003184938.tif 000006